(57)【要約】【課題】切タイマ運転終了後にも空気を清浄化することが可能な空気清浄機を提供する。【解決手段】空気清浄機１は、空気清浄部と湿度調整部と制御部４０と運転入／切ボタン６０と計時部５３と切タイマボタン６５とを備える。空気清浄部は空気を清浄化する。湿度調整部は空気を加湿する。制御部４０は空気清浄部と湿度調整部との駆動を制御する。運転入／切ボタン６０は、使用者が空気清浄機１の運転を停止させることを選択するための運転入／切ボタン６０である。計時部５３は、使用者が運転入／切ボタン６０によって空気清浄機１の運転を停止させることを選択した時に時間の計測を開始する。切タイマボタン６５には、計時部５３に計測させるタイマ時間を使用者が入力する。制御部４０は、計時部５３によって計測される時間がタイマ時間を経過したときに、湿度調整部の駆動を停止して、空気清浄部を駆動させ続けるように、空気清浄部と湿度調整部とを制御する。【選択図】図３
2010269058.tif 000002
【特許請求の範囲】
【請求項１】
空気を清浄化する空気清浄部と、
空気を加湿および／または除湿する湿度調整部と、
前記空気清浄部と前記湿度調整部との駆動を制御する制御部と、
使用者が当該空気清浄機の運転を停止させることを選択するための運転指示部と、
使用者が前記運転指示部によって当該空気清浄機の運転を停止させることを選択した時に時間の計測を開始する計時部と、
使用者が、前記計時部に計測させるタイマ時間を入力する入力部とを備え、
前記制御部は、前記計時部によって計測される時間が前記タイマ時間を経過したときに、前記湿度調整部の駆動を停止して、前記空気清浄部を駆動させ続けるように、前記空気清浄部と前記湿度調整部とを制御する、空気清浄機。
【請求項２】
前記空気清浄部は、空気清浄対象室内にイオンを供給するイオン供給部を含み、
前記制御部は、前記計時部によって計測される時間が前記タイマ時間を経過したときに、前記イオン供給部の駆動を継続するように前記イオン供給部を制御する、請求項１に記載の空気清浄機。
【請求項３】
前記制御部は、前記計時部によって計測される時間が前記タイマ時間を経過したときに、前記イオン供給部によって空気清浄対象室内に供給されるイオンの量を増加させるように、前記イオン供給部を制御する、請求項２に記載の空気清浄機。
【請求項４】
前記空気清浄部は空気を送出する送風部を含み、
前記制御部は、前記計時部によって計測される時間が前記タイマ時間を経過したときに、前記送風部の出力を最も低くするように前記送風部を制御する、請求項３に記載の空気清浄機。
【請求項５】
使用者が前記空気清浄部の駆動と駆動停止とを選択するための選択部を備え、
使用者が前記選択部によって前記空気清浄部の駆動停止を選択した場合には、前記制御部は、前記計時部によって計測される時間が前記タイマ時間を経過したときに前記空気清浄部の駆動を停止する、請求項１から請求項４までのいずれか１項に記載の空気清浄機。
【発明の詳細な説明】
【技術分野】
【０００１】
この発明は、一般的には空気清浄機に関し、特定的には、加湿機能および／または除湿機能を有する空気清浄機に関する。
【背景技術】
【０００２】
室内の空気には、塵埃、花粉、タバコの煙等、人体に有害な微粒子やガスが含まれている。近年、住宅の気密度が高まるに伴い、これらの微粒子やガスが室内に滞留する度合いが増す一方で、積極的な換気が行われる機会は減少している。このような状況にあって、室内の空気を浄化する機能を有する空気清浄機の普及が進んでいる。
【０００３】
従来の空気清浄機は、例えば、送風機が駆動されることによって、エアフィルタを通じて空気清浄対象室内の空気を空気清浄機の内部に取り込む。空気清浄対象室内の空気がフィルタを通過する際に、空気中の微粒子がフィルタによって捕集される。同時に、空気中に含まれる有害なガスを吸着したり、分解したりすることによって、フィルタを通過する空気を浄化する。また、イオン発生器を備え、空気を浄化した後、浄化された空気にイオンを含ませる空気清浄機もある。このようにして浄化された空気は、空気清浄機の吹出口から再び空気清浄対象室内に戻される。
【０００４】
また、空気清浄機には、空気清浄対象室内の空気を、使用者にとって快適な湿度に調節するために、加湿機能や除湿機能を併せ持つものがある。例えば、特開２００８−３５９９８号公報（特許文献１）に記載の空気清浄機では、エアフィルタを通過することによって浄化された空気が、さらに加湿フィルタを通過することによって加湿される。
【０００５】
このような加湿機能を有する空気清浄機では、使用者は通常、加湿とともに空気清浄化を行う空気清浄運転と、加湿を行うことなく空気清浄化を行う空気清浄運転とを選択することができる。
【０００６】
また、除湿機能付き空気清浄機では、同様に、除湿とともに空気清浄化を行う空気清浄運転と、除湿を行うことなく空気清浄化を行う空気清浄運転とを選択することができる。加湿機能と除湿機能の両方を備えた空気清浄機であっても同様に、空気清浄化を行うときに加湿や除湿を行うかどうかを使用者が選択することができるように構成されている。除湿機能を備える空気清浄機は、洗濯した衣類を部屋干し等する場合等に衣類乾燥機として使用されることがある。
【０００７】
除湿機能を備える空気清浄機を衣類乾燥機として使用する場合、使用者が外出をしている間に衣類乾燥を終わらせたいときには、使用者は、節電のため切タイマ機能を利用して、使用者が運転停止を指示してから適切な時間が経過したときに空気清浄機の運転を停止させることが望ましい。加湿機能を有する空気清浄機でも、使用者は、切タイマ機能を利用して、使用者が運転停止を指示してから適切な時間が経過したときに空気清浄機の運転を停止させることができる。
【０００８】
特開２００５−３１５４５１号公報（特許文献２）には、このような切タイマ機能を備える空気調和機が記載されている。この空気調和機は、切タイマ終了後も室内の空調負荷に応じて、冷房運転または換気運転を行う。例えば、切タイマ終了後に外気温度が高ければ、冷房運転を行う。また、切タイマ終了後に外気温度が低ければ、換気を行うように運転される。
【先行技術文献】
【特許文献】
【０００９】
【特許文献１】特開２００８−３５９９８号公報
【特許文献２】特開２００５−３１５４５１号公報
【発明の概要】
【発明が解決しようとする課題】
【００１０】
しかしながら、加湿機能および／または除湿機能を有する空気清浄機においては、特開２００５−３１５４５１号公報（特許文献２）に記載の空気調和機のように、切タイマ運転終了後に室内の湿度に基づいて、加湿運転または除湿運転を行なっても、空気清浄対象室内の空気を清浄化することができない。
【００１１】
そこで、この発明の目的は、切タイマ運転終了後にも空気を清浄化することが可能な空気清浄機を提供することである。
【課題を解決するための手段】
【００１２】
この発明に従った空気清浄機は、空気清浄部と、湿度調整部と、制御部と、運転指示部と、計時部と、入力部とを備える。
【００１３】
空気清浄部は、空気を清浄化する。湿度調整部は、空気を加湿および／または除湿する。制御部は、空気清浄部と湿度調整部との駆動を制御する。運転指示部は、使用者が空気清浄機の運転を停止させることを選択するための運転指示部である。計時部は、使用者が運転指示部によって空気清浄機の運転を停止させることを選択した時に時間の計測を開始する。入力部には、計時部に計測させるタイマ時間を使用者が入力する。
【００１４】
制御部は、計時部によって計測される時間がタイマ時間を経過したときに、湿度調整部の駆動を停止して、空気清浄部を駆動させ続けるように、空気清浄部と湿度調整部とを制御する。
【００１５】
使用者は、使用者が運転指示部を通して空気清浄機の運転を停止することを選択した後にも所定の時間、空気清浄機による加湿または除湿を継続させたい場合には、所定の時間としてタイマ時間を入力部に入力する。
【００１６】
使用者が、入力部にタイマ時間を入力して、運転指示部によって空気清浄機の運転を停止させることを選択すると、計時部は、時間の計測を開始する。計時部によって計測される時間がタイマ時間を経過したとき、制御部は、湿度調整部の駆動を停止する。湿度調整部の駆動が停止されることによって、空気清浄機による空気の加湿または除湿が停止される。一方、制御部は、使用者が空気清浄機の運転を停止させることを選択した後、計時部によって計測される時間がタイマ時間を経過して、空気清浄機による空気の加湿または除湿が停止された後にも、空気清浄部を駆動させ続けるように制御する。
【００１７】
このようにすることにより、切タイマ運転終了後にも空気を清浄化することが可能な空気清浄機を提供することができる。
【００１８】
この発明に従った空気清浄機においては、空気清浄部は、空気清浄対象室内にイオンを供給するイオン供給部を含むことが好ましい。制御部は、計時部によって計測される時間がタイマ時間を経過したときに、イオン供給部の駆動を継続するようにイオン供給部を制御することが好ましい。
【００１９】
イオン供給部によって空気清浄対象室内にイオンを供給することによって、イオンによる脱臭や除菌効果を得ることができる。そこで、計時部によって計測される時間がタイマ時間を経過したときに、イオン供給部の駆動を継続するようにイオン供給部を制御することにより、空気清浄機による空気の加湿または除湿が停止された後にも、イオンによる空気清浄化の効果によって空気清浄対象室内の空気を清浄に保つことができる。
【００２０】
この発明に従った空気清浄機においては、制御部は、計時部によって計測される時間がタイマ時間を経過したときに、イオン供給部によって空気清浄対象室内に供給されるイオンの量を増加させるように、イオン供給部を制御することが好ましい。
【００２１】
湿度調整部が空気を加湿する湿度調整部である場合には、湿度調整部の駆動が停止されることによって、空気清浄対象室内の加湿が停止される。そのため、湿度調整部の駆動が停止されると、湿度調整部が駆動されているときと比較して、空気清浄対象室内の湿度が低下することがある。一方、湿度調整部が空気を除湿する湿度調整部である場合には、湿度調整部が駆動されている間に空気の除湿が行なわれており、湿度調整部を駆動停止するときには、空気清浄対象室内の湿度が最も低くなっていると考えられる。
【００２２】
このような空気清浄対象室内の湿度が低い状態では、湿度が高い状態と比較して、空気清浄対象室内にイオンを供給してもイオンによる殺菌、除菌、脱臭などの効果が充分に得られないことがある。
【００２３】
そこで、計時部によって計測される時間がタイマ時間を経過して、湿度調整部の駆動が停止されたときに、イオン供給部によって空気清浄対象室内に供給されるイオンの量を増加させるようにイオン供給部を制御する。このようにすることにより、空気中の湿度にかかわらず、湿度調整部の駆動をしている場合と同様にイオンの効果を維持することができる。
【００２４】
この発明に従った空気清浄機においては、空気清浄部は空気を送出する送風部を含むことが好ましい。制御部は、計時部によって計測される時間がタイマ時間を経過したときに、送風部の出力を最も低くするように送風部を制御することが好ましい。
【００２５】
空気清浄機においては、各部材のうち、送風部によって消費される電力が相対的に大きいことが多い。そこで、計時部によって計測される時間がタイマ時間を経過したときに、送風部の出力を最も低くするように送風部を制御して省電力を図る。一方、送風部の出力を低くして送風量が減少しても、イオンが十分に空気清浄対象室内に供給されるように、イオン供給部によるイオンの供給量を増加させる。このようにすることにより、空気中の湿度にかかわらず、湿度調整部が駆動されているときと同様に、イオンによる高い除菌や脱臭の効果を維持することができる。
【００２６】
この発明に従った空気清浄機は、使用者が空気清浄部の駆動と駆動停止とを選択するための選択部を備えることが好ましい。使用者が選択部によって空気清浄部の駆動停止を選択した場合には、制御部は、計時部によって計測される時間がタイマ時間を経過したときに空気清浄部の駆動を停止することが好ましい。
【００２７】
このようにすることにより、タイマ時間が経過した後、空気清浄化を継続させる必要がない場合には、従来の空気清浄機と同様に全ての運転を停止して、エネルギーの浪費を防ぐことができる。
【発明の効果】
【００２８】
以上のように、この発明によれば、切タイマ運転終了後にも空気を清浄化することが可能な空気清浄機を提供することができる。
【図面の簡単な説明】
【００２９】
【図１】この発明の第１実施形態として、加湿機能を有する空気清浄機の外観の全体を示す斜視図である。
【図２】第１実施形態の空気清浄機の操作・表示部の全体を示す図である。
【図３】第１実施形態の空気清浄機を、図１に示すＩＩＩ−ＩＩＩ線の方向から見たときの断面図である。
【図４】空気清浄機が備えるイオン発生器の外観を示す図である。
【図５】イオン発生器の駆動回路を示す図である。
【図６】図３に示す空気清浄機のダンパが回動されたときの状態を示す断面図である。
【図７】第１実施形態の空気清浄機の制御関連の構成を示すブロック図である。
【図８】風量を調節するときの行程を順に示すフローチャートである。
【図９】第１実施形態の空気清浄機の運転開始から運転停止までの制御処理を順に示すフローチャートである。
【図１０】第１実施形態の空気清浄機の運転開始から運転停止までの制御処理を順に示すフローチャートである。
【図１１】第１実施形態の空気清浄機の運転開始から運転停止までの制御処理を順に示すフローチャートである。
【図１２】第１実施形態の空気清浄機の運転開始から運転停止までの制御処理の別の例を順に示すフローチャートである。
【図１３】この発明の第２実施形態として、除湿機能を有する空気清浄機の内部の全体を示す斜視図である。
【図１４】第２実施形態の空気清浄機の操作・表示部の全体を示す図である。
【図１５】第２実施形態の空気清浄機の制御関連の構成を示すブロック図である。
【図１６】第２実施形態の空気清浄機の運転開始から運転停止までの制御処理を順に示すフローチャートである。
【図１７】第２実施形態の空気清浄機の運転開始から運転停止までの制御処理を順に示すフローチャートである。
【図１８】第２実施形態の空気清浄機の運転開始から運転停止までの制御処理を順に示すフローチャートである。
【図１９】第２実施形態の空気清浄機の運転開始から運転停止までの制御処理の別の例を順に示すフローチャートである。
【発明を実施するための形態】
【００３０】
以下、この発明の実施の形態を図面に基づいて説明する。
【００３１】
（第１実施形態）
図１に示すように、加湿機能を有する空気清浄機１は、本体２と前面パネル３によって、全体の主な部分が覆われている。空気清浄機１は床に置かれた状態、または、壁に掛けられた状態で使用される。本体２は、偏平な略直方体の箱のような形状に形成されて、底面を床面と水平にして空気清浄対象室内に配置される。本体２の正面側は、前面パネル３で覆われる。
【００３２】
前面パネル３の裏面上部には、本体２の上部に係合するフック（図示せず）が形成されている。前面パネル３の左右の側面の下部には係合部７が形成されている。フックを本体２の上部に引っ掛けて、本体２に前面パネル３がぶら下がった状態にしてから、係合部７を本体２に係合させることによって、前面パネル３は、本体２との間に所定の隙間をあけた状態で本体２に取り付けられる。このようにして形成された本体２と前面パネル３との間の隙間は、本体２の左右両辺と下辺において形成される。そのため、本体２の内部は、本体２の左右両辺と下辺において外部に連通する。後述するように、本体２の外部の空気は、この隙間から本体２の内部に吸い込まれる。
【００３３】
本体２の下部には、給水タンク１６が取り付けられている。給水タンク１６の下方において本体２の底部には、トレイ１５が配置されている。使用者は、給水タンク１６を本体２から取り外すことができる。使用者は、空気清浄機１の運転開始前に、給水タンク１６を本体２から取り外し、給水タンク１６に水を供給してから、本体２に取り付ける。給水タンク１５が本体２に取り付けられると、給水タンク１６内の水の一部がトレイ１５内に貯められる。
【００３４】
本体２の上面において背面側には、上吹出口１１が形成されている。本体２の上面において正面側には、前吹出口１２が形成されている。本体２の上面において、上吹出口１１と前吹出口１２との間には、操作・表示部１３が配置されている。
【００３５】
図２に示すように、操作・表示部１３は、運転入／切ボタン６０、加湿入／切ボタン６１、風量切換ボタン６３、切タイマボタン６５、除菌イオン入／切ボタン６７、切タイマ切換スイッチ６９のボタン群によって構成される操作ボタン４８と、加湿入ランプ６２、風量ランプ６４、切タイマランプ６６、除菌イオンランプ６８、クリーンサインランプ７０、及び給水ランプ７１のランプ群によって構成される表示ランプ４９とを含む。それぞれのボタンとランプについては後述する。なお、操作ボタン４８と表示ランプ４９は集合名詞であり、単一のボタンまたはランプを意味するものではない。
【００３６】
図３に示すように、空気清浄機１の正面側において、本体２の内部には、脱臭フィルタ４と集塵フィルタ５が収納されるフィルタ収納部が形成されている。フィルタ収納部は直方体形状の窪みとして形成されている。フィルタ収納部は前面パネル３で覆われる。フィルタ収納部には、前面パネル３に近い側、すなわち、空気清浄機１の正面側から順に、脱臭フィルタ４と集塵フィルタ５が収納されている。
【００３７】
脱臭フィルタ４は、長方形の枠にポリエステル製の不織布を取り付け、その上に活性炭を均一に分散配置し、その上から更にポリエステル製の不織布をかぶせたものである。脱臭フィルタ４は、空気中の臭い成分であるアセトアルデヒド、アンモニア、酢酸等を吸着する。
【００３８】
集塵フィルタ５はいわゆるＨＥＰＡ（High Efficiency Particular Air）フィルタである。集塵フィルタ５は、ポリエステル／ビニロン系不織布からなる骨材に電石加工したメルトブロー不織布を合わせて濾材とし、これを折り畳んだ上、その上下面にハイドロキシアパタイト加工した不織布からなる抗菌シートを重ねて熱圧着し、ホットメルト付き不織布からなる枠を溶着したものである。集塵フィルタ５は微細な塵埃を捕集する。
【００３９】
フィルタ収納部に挿入された集塵フィルタ５と脱臭フィルタ４は、フィルタ収納部の開口部に装着されるフィルタ押さえ枠６によって脱落を阻止される。フィルタ押さえ枠６は正面形状矩形であり、多数の通気口が形成されている。
【００４０】
本体２のフィルタ収納部の奥には、隔壁２１を隔てて送風機８が配置される。送風機８はファンモータ９とファン１０からなる。送風機８の正面側の隔壁２１と、外周を囲む隔壁２２と、背面側の隔壁２３とがファンケーシングを構成する。ファンモータ９は隔壁２１に固定されている。背面側の隔壁２３には多数の小孔からなる吸気口が形成される。図３にファン１０として示されているのはターボファンであるが、ファン１０はターボファンに限定されず、プロペラファンを採用することも、クロスフローファンを採用することも可能である。図３に示すターボファンの場合、ファン径に比較して厚さを大きくとり、回転数を下げて騒音レベルを下げる工夫がなされている。この実施形態においては、ファンモータ９は制御性を重視し、直流モータとしている。
【００４１】
ファン１０の外周を囲む隔壁２２はインボリュート曲線形状となっており、ファン１０の外周から吐出された空気を本体２の上部に形成された２個の吹出口へ誘導する。上吹出口１１は、送風機８の上面に、上方向に空気が送出されるように設けられており、前吹出口１２は、上吹出口１１の前方に、斜め上方向に空気が送出されるように設けられている。本体２内には、ファン１０によって送出される空気が前吹出口１２に向かって流通するための流路が形成されている。前吹出口１２に連通する流路の送風機８側の端部付近にはイオン発生器１７が配置される。
【００４２】
隔壁２１の下部には開口部２４が形成されている。開口部２４は、隔壁２２の下に形成された第１の通気路３１及び第２の通気路３２への入口となる。第１の通気路３１と第２の通気路３２は、水平な仕切り壁２７によって隔てられている。第１の通気路３１は仕切り壁２７の下に形成され、第２の通気路３２は仕切り壁２７の上に形成されている。隔壁２３と本体２の背面壁２５の間には隔壁２３に設けられた吸気口に通じる隙間が存在し、第１の通気路３１と第２の通気路３２は、空気清浄機１の背面側において、仕切り壁２７の端部付近でこの隙間に接続されている。背面壁２５の内側において仕切り壁２７の上方には、当接点２６として突起が形成されている。
【００４３】
第１の通気路３１には加湿フィルタ１４が配置される。加湿フィルタ１４はジグザグに折り畳まれた吸水材により構成され、第１の通気路３１を全面的に閉塞する。加湿フィルタ１４の下端は、第１の通気路３１の底部に配置されたトレイ１５に受けられる。トレイ１５は本体２の一側から出し入れできるものであり、内部には水が溜められる。加湿フィルタ１４がトレイ１５内の水を毛細管現象で吸い上げると、加湿フィルタ１４が水に濡れた状態になる。本体２の一側に取り付けられる給水タンク１６（図１）はトレイ１５に水を供給する。トレイ１５と給水タンク１６の組み合わせが加湿用給水部を構成する。
【００４４】
第２の通気路３２にはダンパ３５が配置される。ダンパ３５は第２の通気路３２のやや上方に配置された支軸３６に固定され、支軸３６を中心とする円弧状に形成されている。ダンパ３５において、仕切り壁２７側の端部には突起３７が形成されている。支軸３６はモータ（図示しない）で回転される。ダンパ３５は支軸３６の回転に伴って垂直面内で回動する。支軸３６を回転させるモータはステッピングモータ等のデジタル制御モータであり、ダンパ３５の回動角度は常時認識される。
【００４５】
図３には、ダンパ３５が第２の通気路３２を閉塞している状態を示す。送風機８を駆動すると、図３に二点鎖線の矢印で示すような気流が発生する。空気清浄機１の外部の空気は前面パネル３と本体２の間の隙間からフィルタ収納部の前面へと進入し、フィルタ押さえ枠６の通気口から脱臭フィルタ４に吸い込まれる。脱臭フィルタ４により臭い成分を吸着された空気は集塵フィルタ５に吸い込まれ、細かな塵埃まで捕集される。第２の通気路３２はダンパ３５で閉塞されているため、集塵フィルタ５を通り抜けた浄化状態の空気は、専ら第１の通気路３１を通り、そこで加湿フィルタ１４により加湿される。脱臭され浄化され加湿された空気は隔壁２３と背面壁２５の間の隙間を上昇し、隔壁２３に設けられた吸気口からファン１０の中心に吸い込まれる。ファン１０から吐出された空気は上吹出口１１と前吹出口１２から室内に吹き出される。イオン発生器１７を稼働させれば、イオン発生器１７で発生したイオンは主に前吹出口１２から吹き出す気流に乗って室内に送り出される。このように、図３に示す状態で空気清浄機１が運転されて送風機８が駆動されると、加湿空気清浄運転、すなわち、加湿をしながら空気清浄がされる運転が行われる。
【００４６】
この実施形態においては、脱臭フィルタ４と集塵フィルタ５と送風機８とイオン発生器１７とダンパ３５は、空気清浄部を構成する。送風機８と加湿フィルタ１４とダンパ３５は、湿度調整部を構成する。
【００４７】
図４に示すように、イオン発生器１７は、２つの開口部が形成された筐体１７１によって全体が覆われている。筐体１７１に形成されている２つの開口部は、正イオン放出口１７２と、負イオン放出口１７３である。正イオン放出口１７２と負イオン放出口１７３において筐体１７１の内部には、それぞれ、正イオン発生部１７４と負イオン発生部１７５が配置されている。正イオン発生部１７４と負イオン発生部１７５は、どちらも針状の放電電極によって形成されている。
【００４８】
図５に示すように、イオン発生器１７（図４）の正イオン発生部１７４と負イオン発生部１７５には、高電圧が印加されるように構成されている。正イオン発生部１７４と負イオン発生部１７５に高電圧が印加されると、正イオン発生部１７４と負イオン発生部１７５で放電が生じて、正イオン（プラスイオン）と負イオン（マイナスイオン）とが発生する。
【００４９】
イオン発生器１７において最も安定して発生されるプラスイオンはＨ＋（Ｈ２Ｏ）ｎであり、最も安定して発生されるマイナスイオンはＯ２−（Ｈ２Ｏ）ｍである。これらのプラスイオンとマイナスイオンは、単独では空気中の浮遊細菌に対し格別な滅菌効果はない。しかし、これらのプラスイオンとマイナスイオンとが同時に発生されて、互いに相互作用することによって、化学反応によって活性種である過酸化水素Ｈ２Ｏ２または水酸化ラジカル（・ＯＨ）が生成される。Ｈ２Ｏ２または（・ＯＨ）は強力な活性を有する。上記のプラスイオンとマイナスイオンとの化学反応によって生じるＨ２Ｏ２または（・ＯＨ）の活性によって、空気中に浮遊する細菌を除去することができる。
【００５０】
イオン発生器１７の正イオン発生部１７４で発生した正イオンと負イオン発生部１７５で発生した負イオンとは、イオン発生器１７を通過する空気の流れによって、正イオン放出口１７２と負イオン放出口１７３から筐体１７１の外部に放出される。筐体１７１の外部に放出された正イオンと負イオンは、本体２内を前吹出口１２に向かって移動して、前吹出口１２から空気清浄対象室内に供給される。イオン発生器１７と送風機８は、イオン供給部の一例である。
【００５１】
ダンパ３５を、図３に示す状態から図６に示す状態に回動させて空気清浄機１を運転すると、加湿を行なわずに空気清浄化をする空気清浄運転が行われる。
【００５２】
図６に示すように、ダンパ３５は突起３７が背面壁２５の内面の当接点２６に当たるところまで回動されている。図６に示す状態では第２の通気路３２が開放され、逆に第１の通気路３１は出口が閉塞されている。この状態で送風機８が駆動されると、脱臭フィルタ４と集塵フィルタ５を通り抜けた空気は加湿フィルタ１４を経ることなく送風機８に吸い込まれる。従って、脱臭と清浄化はなされているものの加湿されていない空気が室内に吹き出される。
【００５３】
次に、空気清浄機１の制御関連の構成について説明する。図７に示すように、温度センサ４１、湿度センサ４２、埃センサ４３、臭いセンサ４４といったセンサ類は、制御部４０に信号を送信する。また、トレイ水位検知スイッチ４５、操作ボタン４８、電源同期信号生成回路５４も、制御部４０に信号を送信する。計時部５３は、制御部４０と信号の送受信を行なう。制御部４０は、これらのセンサ等から受信した信号に基づいて、表示ランプ４９とダンパモータ駆動回路５０とファンモータ駆動回路５１とイオン発生器駆動回路５２とに制御信号を送信する。
【００５４】
温度センサ４１は空気清浄対象室内の空気の温度を計測する。湿度センサ４２は空気清浄対象室内の空気の湿度を計測する。温度センサ４１と湿度センサ４２は、温湿度センサとして一体化されたものを用いてもよい。埃センサ４３は発光素子と受光素子を組み合わせたものであり、空気清浄対象室内の空気中を浮遊する塵埃粒子を検知する。臭いセンサ４４は金属酸化物半導体からなり、ガスを吸着すると抵抗値が変化することを利用して臭い成分を検出する。埃センサ４３と臭いセンサ４４は空気清浄対象室内の空気の汚れ具合を知る汚れ検出器として機能する。
【００５５】
トレイ水位検知スイッチ４５は、トレイ１５の中の水位が下がり、「水不足」の水位となったことを検知する。トレイ１５の中の水位が「水不足」の水位になったことが検知される場合には、トレイ１５に対し給水タンク１６から水補給が行われなくなったこと、すなわち、給水タンク１６が空になったことを意味する。すなわち、トレイ水位検知スイッチ４５は加湿用給水部の水位検知手段として機能する。
【００５６】
電源同期信号生成回路５４は、商用電源の交流波形を半波整流して、トランジスタ等により波形を整形して、６０Ｈｚまたは５０Ｈｚの交流波形に同期した矩形波を生成する。制御部４０は、この矩形波を監視して、電源周波数を判定したり、通電の遮断を検知したりすることができる。
【００５７】
操作ボタン４８は図２に示すように複数のボタンを含み、使用者がそれぞれのボタンを操作すると、制御部４０に信号が送信される。また、信号を受信した制御部４０から、表示ランプ４９を構成するそれぞれのランプに制御信号が送信される。
【００５８】
空気清浄機１が運転を停止しているときに、使用者が運転入／切ボタン６０を押して運転入／切ボタン６０を「入」の状態にすると、制御部４０に信号が送信され、空気清浄機１の空気清浄運転が開始される。使用者は、空気清浄機１が運転されているときに運転入／切ボタン６０を押して運転入／切ボタン６０を「切」の状態にすることによって、空気清浄機１の駆動を停止することを選択することができる。運転入／切ボタン６０は運転指示部の一例である。
【００５９】
空気清浄機１が運転されているときに使用者が加湿入／切ボタン６１を押して「入」にすると、制御部４０に信号が送信される。制御部４０は、表示ランプ４９の加湿入ランプ６２に制御信号を送信して、加湿入ランプ６２が点灯される。また制御部４０は、ダンパモータ駆動回路５０に制御信号を送信して、ダンパ３５（図３、図６）が図３に示す状態になるように制御する。このようにして、加湿空気清浄運転が開始される。一方、加湿空気清浄運転中、すなわち、加湿入ランプ６２点灯中に加湿入／切ボタン６１が押されて加湿が「切」にされると、制御部４０は加湿入ランプ６２に制御信号を送信して消灯させ、また、ダンパモータ駆動回路５０に制御信号を送信して、ダンパ３５（図３、図６）が図６に示す状態になるように制御する。このようにして、加湿を行なわない空気清浄運転が行われる。
【００６０】
加湿空気清浄運転あるいは加湿を行なわない空気清浄運転中に切タイマボタン６５が押されると、制御部４０に信号が送信される。制御部４０は、切タイマランプ６６に制御信号を送信し、切タイマランプ６６を点灯させる。また、制御部４０は計時部５３に制御信号を送信して、切タイマ機能が動作する。使用者が切タイマボタン６５を押すと、最初はタイマ時間として切タイマ時間が２時間にセットされる。その後、使用者が切タイマボタン６５を押す度に、切タイマ時間が２時間から４時間に、４時間から８時間に変更される。切タイマ時間が８時間にされているときに使用者が切タイマボタン６５を押すと、切タイマ機能が解除に変更される。切タイマランプ６６の点灯状態は、切タイマ時間に合わせて、「２」から「４」へ、「４」から「８」へ、「８」から消灯へと移り変わる。切タイマボタン６５は、入力部の一例である。
【００６１】
空気清浄運転、加湿空気清浄運転のいずれかの運転の途中で除菌イオン入／切ボタン６７が押されると、制御部４０に信号が送信される。制御部４０は、除菌イオンランプ６８に制御信号を送信して除菌イオンランプ６８を点灯させる。また、制御部４０は、イオン発生器駆動回路５２に制御信号を送信して、イオン発生器１７の作動を開始させる。除菌イオン入／切ボタン６７がもう一度押されれば、制御部４０は、イオン発生器１７の駆動を停止させ、除菌イオンランプ６８を消灯させる。
【００６２】
切タイマ切換スイッチ６９は、使用者が空気清浄機１の運転の停止を選択してから切タイマ時間が経過したときに、加湿のみを停止させるか、全ての機能を停止させるのかを使用者が選択するためのスイッチである。加湿のみを停止させる場合には、使用者は、「加湿のみ」にスイッチをスライドさせる。全ての機能を停止させる場合には、使用者は、「全停止」にスイッチをスライドさせる。切タイマ切換スイッチ６９が操作されると、制御部４０に信号が送信される。制御部４０は、切タイマ切換スイッチ６９から受信した信号に基づいて、ダンパモータ駆動回路５０とファンモータ駆動回路５１とイオン発生器駆動回路５２に制御信号を送信する。切タイマ切換スイッチ６９は、選択部の一例である。
【００６３】
クリーンサインランプ７０は、汚れ検出器として機能している埃センサ４３と臭いセンサ４４の検知結果を受信した制御部４０が制御信号を送信して、異なる色で点灯される。すなわち、例えば、空気清浄対象室内の空気の汚れが少ないときは緑色で点灯され、少し汚れが多くなると黄色で点灯され、汚れがひどくなると赤色で点灯される。
【００６４】
室内空気の汚れ度合いは、空気清浄運転を「自動」で行っているときの風量決定要因となる。すなわち、例えば、汚れがひどくなれば、単位時間内にできるだけ多くの室内空気を空気清浄機１に通して浄化させる。制御部４０は埃センサ４３と臭いセンサ４４から受信した信号に基づいて、ファンモータ駆動回路５１に制御信号を送信して、風量を「弱」から「中」、「中」から「強」と変化させる。
【００６５】
加湿空気清浄運転の場合には、空気清浄対象室内の湿度も、加湿空気清浄運転を「自動」で行っているときの風量決定要因となる。すなわち、例えば、空気清浄対象室内の空気の湿度が下がれば、単位時間内にできるだけ多くの室内空気を空気清浄機１に通して加湿する。制御部４０はファンモータ駆動回路５１に制御信号を送信して風量を「弱」から「中」、「中」から「強」と変化させる。
【００６６】
トレイ１５の中の水位が下がり、「水不足」の水位となったことをトレイ水位検知スイッチ４５が検知したときは、制御部４０に信号が送信される。制御部４０は給水ランプ７１に制御信号を送信して給水ランプ７１を点滅させて、使用者に給水を促す。
【００６７】
計時部５３は、操作ボタン４８の運転入／切ボタン６０が操作されて、使用者によって空気清浄機１の運転を停止させることが選択された場合に、制御部４０から送信される信号に基づいて、切タイマ時間を計測する。計時部５３は、切タイマ時間を計測したときに制御部４０に信号を送信する。
【００６８】
空気清浄運転あるいは加湿空気清浄運転では、風量切換ボタン６３が押される度に風量が変更される。図８に示すように、ステップＳ００１では、制御部は、風量切換ボタン６３が「入」にされているかどうかを確認する。風量切換ボタン６３が「入」にされていれば、ステップＳ００２に進む。風量切換ボタン６３が「入」にされていなければ、ステップＳ００８に進む。
【００６９】
ステップＳ００２では、制御部４０は、風量切換ボタン６３が操作されたかどうかを判断する。風量切換ボタン６３が操作されなければ、ステップＳ００３に進む。風量切換ボタン６３が操作されれば、ステップＳ００４に進む。ステップＳ００３では、制御部４０はファンモータ駆動回路５１に制御信号を送信して、送風機８の送風量を相対的に強くする「強」にする。
【００７０】
ステップＳ００４では、制御部４０は、風量切換ボタン６３が操作されたかどうかを判断する。風量切換ボタン６３が操作されなければ、ステップＳ００５に進む。風量切換ボタン６３が操作されれば、ステップＳ００６に進む。ステップＳ００５では、制御部４０は送風機８に制御信号を送信して、風量を、「強」よりも相対的に弱い「中」にする。
【００７１】
ステップＳ００６では、制御部４０は、風量切換ボタン６３が操作されたかどうかを判断する。風量切換ボタン６３が操作されなければ、ステップＳ００７に進む。風量切換ボタン６３が操作されれば、ステップＳ００８に進む。ステップＳ００７では、制御部４０は送風機８に制御信号を送信して、風量を、「中」よりも相対的に弱い「弱」にする。
【００７２】
ステップＳ００８では、制御部４０は、風量切換ボタン６３が操作されたかどうかを判断する。風量切換ボタン６３が操作されなければ、ステップＳ００９に進む。風量切換ボタン６３が操作されれば、ステップＳ００３に戻る。ステップＳ００９では、制御部４０は、風量を「自動」で制御する。
【００７３】
このように、使用者が風量切換ボタン６３を操作することによって、風量は「自動」「強」「中」「弱」変更される。風量ランプ６４の点灯状態は、風量に合わせて「自動」から「強」へ、「強」から「中」へ、「中」から「弱」へ、「弱」から「自動」へと移り変わる。また、空気清浄運転と加湿空気清浄運転は使用者の操作によらず前回の運転時のモードを覚えており、加湿空気清浄運転で開始される場合もある。
【００７４】
以上のように構成される空気清浄機１の動作について説明する。図１から図１１を用いて、空気清浄機１の電源投入から運転停止までの行程を説明する。図９から図１１に示すフローチャートにおいて、各行程における判断の主体は制御部４０である。
【００７５】
ステップＳ１０１では、使用者が差込プラグをコンセントに差し込み、空気清浄機１に電源を投入する。ステップＳ１０２では、電源投入時の初期設定が行なわれて、加湿モードが「入」に設定され、切タイマが「解除」に設定される。その後、空気清浄機１は待機状態となる。
【００７６】
ステップＳ１０３では、制御部４０は、運転ボタンが「入」にされたかどうかを判断する。運転ボタンが「入」にされていなければ、ステップＳ１０３に戻る。使用者が運転入／切ボタン６０を押して、運転ボタンが「入」にされていれば、ステップＳ１０４に進む。
【００７７】
ステップＳ１０４では、空気清浄機１の運転を開始される。空気清浄機１の運転が開始されると、各モードに対応したランプが点灯される。
【００７８】
ステップＳ１０５では、制御部４０は、加湿入／切ボタン６１が押されたかどうかを判断する。加湿入／切ボタン６１が押されれば、ステップＳ１０６に進む。加湿入／切ボタン６１が押されなければ、図１０のステップＳ１０９に進む。
【００７９】
ステップＳ１０６では、制御部４０は、当初、加湿モードが「入」であったかどうかを判断する。当初の加湿モードが「入」であれば、ステップＳ１０７に進み、加湿モードを「切」にして、加湿入ランプ６２を消灯する。当初の加湿モードが「入」でなければ、すなわち、当初の加湿モードが「切」であれば、ステップＳ１０８に進み、加湿モードを「入」にして、加湿入ランプ６２を点灯する。その後、ステップＳ１０９に進む。なお、ステップＳ１０５で加湿入／切ボタン６１が押されなかった場合には、加湿モードは当初の設定のままである。
【００８０】
ステップＳ１０９では、制御部４０は、切タイマボタン６５が「入」にされているかどうかを判断する。切タイマボタン６５が「入」にされていれば、ステップＳ１１０に進む。切タイマボタンが「入」にされていなければ、ステップＳ１１９に進む。
【００８１】
ステップＳ１１０では、制御部４０は、切タイマボタン６５が操作されたかどうかを判断する。切タイマボタン６５が操作されれば、ステップＳ１１３に進む。切タイマボタン６５が操作されなければ、ステップＳ１１１に進む。
【００８２】
ステップＳ１１１では、制御部４０は計時部５３に制御信号を送信し、切タイマ時間を２時間に設定する。その後、ステップＳ１１２に進み、切タイマランプ６６の２時間ランプを点灯させてから、図１１のステップＳ１２０に進む。
【００８３】
ステップＳ１１３では、制御部４０は、切タイマボタン６５が操作されたかどうかを判断する。切タイマボタン６５が操作されれば、ステップＳ１１６に進む。切タイマボタン６５が操作されなければ、ステップＳ１１４に進む。
【００８４】
ステップＳ１１４では、制御部４０は計時部５３に制御信号を送信し、切タイマ時間を４時間に設定する。その後、ステップＳ１１５に進み、切タイマランプ６６の４時間ランプを点灯させてから、図１１のステップＳ１２０に進む。
【００８５】
ステップＳ１１６では、制御部４０は、切タイマボタン６５が操作されたかどうかを判断する。切タイマボタン６５が操作されれば、ステップＳ１１９に進む。切タイマボタン６５が操作されなければ、ステップＳ１１７に進む。
【００８６】
ステップＳ１１７では、制御部４０は計時部５３に制御信号を送信し、切タイマ時間を８時間に設定する。その後、ステップＳ１１８に進み、切タイマランプ６６の８時間ランプが点灯させてから、図１１のステップＳ１２０に進む。
【００８７】
ステップＳ１１９では、切タイマが解除されて、切タイマランプ６６が全て消灯される。その後、図１１のステップＳ１２０に進む。
【００８８】
図１１に示すように、ステップＳ１２０では、制御部４０は、運転入／切ボタン６０が押されて「切」にされたかどうかを判断する。運転入／切ボタン６０が「切」にされれば、ステップＳ１２１に進む。運転入／切ボタン６０が「切」にされなければ、図９のステップＳ１０５に戻る。
【００８９】
ステップＳ１２１では、制御部４０は、切タイマが解除されているかどうかを判断する。切タイマが解除されていれば、ステップＳ１２９に進む。切タイマが解除されていなければ、ステップＳ１２２に進む。
【００９０】
ステップＳ１２２では、制御部４０は、計時部５３に制御信号を送信して、時間の計測を開始させる。
【００９１】
ステップＳ１２３では、制御部４０は、計時部５３から受信する信号に基づいて、計時部５３によって計測される時間が、切タイマ時間を経過したかどうかを判断する。計時部５３によって計測される時間が、切タイマ時間を経過していれば、ステップＳ１２４に進む。計時部５３によって計測される時間が切タイマ時間を経過していなければ、図９のステップＳ１０５に戻る。
【００９２】
ステップＳ１２４では、制御部４０は、切タイマ切換スイッチ６９が操作されて、「全停止」にされているかどうかを判断する。切タイマ切換スイッチ６９が「全停止」にされていなければ、ステップＳ１２５に進む。切タイマ切換スイッチ６９が「全停止」にされていれば、ステップＳ１２８に進む。
【００９３】
ステップＳ１２５では、制御部４０は、切タイマ運転を解除するように制御する。ステップＳ１２６では、制御部４０は、加湿を「切」モードにするように、ダンパ３５を制御する。ステップＳ１３７では、イオン量を増加させるように、イオン発生器駆動回路５２を制御する。その後、図９のステップＳ１０５に戻る。
【００９４】
このようにすることにより、切タイマ時間の経過後には、加湿運転のみを停止し、空気清浄運転は継続して行うことができる。切タイマ時間の経過と共にイオン発生器１７から発生するイオン量を増加する。イオン量を増加させるためには、イオン発生器駆動回路５２の出力電圧を上げたり、イオン駆動回路の出力パルスを増加させたりする。
【００９５】
これらの方法でイオン量が増加するのは、放電電極に与えるエネルギーを増加させていることによる。 または、イオン発生器１７を通過する風量を増加するためにファンモータ９の回転数を増加することで行われる。これは、放電電極の極近傍で発生するイオン量は非常に多いので、送風量が増加するだけで実質的に空間に送出されるイオン量が増加し、イオン発生量そのものが増加したのと同じ効果を有するためである。
【００９６】
一方、ステップＳ１２８では、制御部４０は、切タイマ運転を解除する。ステップＳ１２９では、従来の空気清浄機と同様に、加湿機能も空気清浄機能も停止させるように、ダンパモータ駆動回路５０とファンモータ駆動回路５１とイオン発生器駆動回路５２を制御する。その後、図９のステップＳ１０３に戻る。
【００９７】
なお、この実施形態においては、切タイマ切換スイッチとしてスライドスイッチを用いて説明したが、操作部に存在するボタンの特殊操作（長押し、複数同時押し）により、切タイマ時間の経過後に、従来の空気清浄機のように空気清浄機能も停止させるかどうかを切り替えてもかまわない。
【００９８】
図１２に示すように、空気清浄機１の運転の行程としては、図１１に示すステップＳ１２７の次に、ステップＳ１３０に進んでもよい。
【００９９】
ステップＳ１３０では、制御部４０は、風量を「弱」に設定し、送風機８を最も低い出力で、最も低速で回転させるようにファンモータ駆動回路５１を制御する。その後、図９のステップＳ１０５に戻る。図１２のフローチャートの他の行程は、図１１に示すフローチャートの行程と同様である。
【０１００】
以上のように、第１実施形態の空気清浄機１は、空気清浄部と、湿度調整部と、制御部４０と、運転入／切ボタン６０と、計時部５３と、切タイマボタン６５とを備える。
【０１０１】
空気清浄部は、空気を清浄化する。湿度調整部は、空気を加湿する。制御部４０は、空気清浄部と湿度調整部との駆動を制御する。運転入／切ボタン６０は、使用者が空気清浄機１の運転を停止させることを選択するための運転入／切ボタン６０である。計時部５３は、使用者が運転入／切ボタン６０によって空気清浄機１の運転を停止させることを選択した時に時間の計測を開始する。切タイマボタン６５には、計時部５３に計測させるタイマ時間を使用者が入力する。
【０１０２】
制御部４０は、計時部５３によって計測される時間がタイマ時間を経過したときに、湿度調整部の駆動を停止して、空気清浄部を駆動させ続けるように、空気清浄部と湿度調整部とを制御する。
【０１０３】
使用者は、使用者が運転入／切ボタン６０を通して空気清浄機１の運転を停止することを選択した後にも所定の時間、空気清浄機１による加湿を継続させたい場合には、所定の時間としてタイマ時間を切タイマボタン６５に入力する。
【０１０４】
使用者が、切タイマボタン６５にタイマ時間を入力して、運転入／切ボタン６０によって空気清浄機１の運転を停止させることを選択すると、計時部５３は、時間の計測を開始する。計時部５３によって計測される時間がタイマ時間を経過したとき、制御部４０は、湿度調整部の駆動を停止する。湿度調整部の駆動が停止されることによって、空気清浄機１による空気の加湿が停止される。一方、制御部４０は、使用者が空気清浄機１の運転を停止させることを選択した後、計時部５３によって計測される時間がタイマ時間を経過しても、空気清浄部を駆動させ続けるように制御する。このようにして、空気清浄機１による空気の加湿が停止された後にも空気清浄対象室内の空気を清浄に保つことができる。
【０１０５】
このようにすることにより、切タイマ運転終了後にも空気を清浄化することが可能な空気清浄機１を提供することができる。
【０１０６】
また、空気清浄機１においては、空気清浄部は、空気清浄対象室内にイオンを供給するイオン発生器１７と送風機８を備える。制御部４０は、計時部５３によって計測される時間がタイマ時間を経過したときに、イオン発生器１７と送風機８の駆動を継続するようにイオン発生器１７と送風機８を制御する。
【０１０７】
イオン発生器１７と送風機８によって空気清浄対象室内にイオンを供給することによって、イオンによる脱臭や除菌効果を得ることができる。そこで、計時部５３によって計測される時間がタイマ時間を経過したときに、イオン発生器１７と送風機８の駆動を継続するようにイオン発生器１７と送風機８を制御することにより、空気清浄機１による空気の加湿が停止された後にも、イオンによる空気清浄化の効果によって空気清浄対象室内の空気を清浄に保つことができる。
【０１０８】
また、空気清浄機１においては、制御部４０は、計時部５３によって計測される時間がタイマ時間を経過したときに、イオン発生器１７と送風機８によって空気清浄対象室内に供給されるイオンの量を増加させるように、イオン発生器１７と送風機８を制御する。
【０１０９】
湿度調整部が空気を加湿する湿度調整部である場合には、湿度調整部の駆動が停止されることによって、空気清浄対象室内の加湿が停止される。そのため、湿度調整部の駆動が停止されると、湿度調整部が駆動されているときと比較して、空気清浄対象室内の湿度が低下することがある。
【０１１０】
このような空気清浄対象室内の湿度が低い状態では、湿度が高い状態と比較して、空気清浄対象室内にイオンを供給してもイオンによる殺菌、除菌、脱臭などの効果が充分に得られないことがある。
【０１１１】
そこで、計時部５３によって計測される時間がタイマ時間を経過したときに、イオン発生器１７と送風機８によって空気清浄対象室内に供給されるイオンの量を増加させるように、イオン発生器１７と送風機８を制御することにより、空気中の湿度にかかわらず、湿度調整部の駆動をしている場合と同様にイオンの効果を維持することができる。
【０１１２】
また、空気清浄機１においては、空気清浄部は空気を送出する送風機８を含む。制御部４０は、計時部５３によって計測される時間がタイマ時間を経過したときに、送風機８の出力を最も低くするように送風機８を制御する。
【０１１３】
空気清浄機１においては、各部材のうち、送風機８によって消費される電力が相対的に大きいことが多い。そこで、計時部５３によって計測される時間がタイマ時間を経過したときに、送風機８の出力を最も低くするように送風機８を制御して省電力を図る。一方、送風機８の出力を低くして送風量が減少しても、イオンが十分に空気対象室内に供給されるように、イオン発生器１７によるイオンの供給量を増加させる。このようにすることにより、空気中の湿度にかかわらず、湿度調整部が駆動されているときと同様に、イオンによる高い除菌や脱臭の効果を維持することができる。
【０１１４】
また、空気清浄機１は、使用者が空気清浄部の駆動と駆動停止とを選択するための切タイマ切換スイッチ６９を備える。使用者が切タイマ切換スイッチ６９によって空気清浄部の駆動停止を選択した場合には、制御部４０は、計時部５３によって計測される時間がタイマ時間を経過したときに空気清浄部の駆動を停止する。
【０１１５】
このようにすることにより、タイマ時間が経過した後、空気清浄化を継続させる必要がない場合には、従来の空気清浄機１と同様に全ての運転を停止して、エネルギーの浪費を防ぐことができる。
【０１１６】
（第２実施形態）
図１３に示すように、除湿機能を有する空気清浄機２００は、本体２０１の内部に各部材が収容されている。本体２０１の内部には、主に、湿度調整部として蒸発器２１１と凝縮器２１２と、冷風用送風機２１４と、温風用送風機２１５と、ダンパ２１６と、イオン発生器２１７と、排水タンク２１８とを備える。本体２０１の上面には、操作・表示部２１３が配置されている。本体２０１の上部において背面側には、吹出口２０２が形成されている。蒸発器２１１と凝縮器２１２は、冷凍サイクルを構成している。蒸発器２１１と冷風用送風機２１４は、本体２０１の内部において上部に配置されている。凝縮器２１２と温風用送風機２１５は、本体２０１の内部において下部に配置されている。本体２０１内の下部に配置される排水タンク２１８には、本体２０１内で発生する水が貯められる。
【０１１７】
空気清浄機２００には、第１実施形態の空気清浄機１と同様に、本体２０１のフィルタ収納部内に脱臭フィルタと集塵フィルタが備えられている。脱臭フィルタと集塵フィルタと冷風用送風機２１４と温風用送風機２１５とイオン発生器２１７は、空気清浄部を構成している。また、イオン発生器２１７と冷風用送風機２１４と温風用送風機２１５は、イオン供給部を構成する。
【０１１８】
冷風用送風機２１４と温風用送風機２１５は、第１実施形態の送風機８（図３）と同様に、ファンモータとファンとから構成されている。
【０１１９】
温風用送風機２１５の吹出口は、上方向を向くように形成されている。温風用送風機２１５の上方には、送風方向を前方側と後方側とで切り換えるためのダンパ２１６が配置されている。ダンパ２１６と吹出口２０２との間には、イオン発生器２１７が配置されている。
【０１２０】
ダンパ２１６は、通気路において送風機８の上方に配置された支軸（図示しない）に固定され、支軸を中心とする円弧状に形成されている。支軸は図示しないモータで回転される。ダンパ２１６は支軸の回転に伴って、垂直面内で回動される。支軸を回転させるモータはステッピングモータ等のデジタル制御モータであり、ダンパ２１６の回動角度は常時認識される。
【０１２１】
イオン発生器２１７は、第１実施形態の空気清浄機１が備えるイオン発生器１７と同様である。
【０１２２】
温風用送風機２１５が駆動されると、図１３に一点鎖線の矢印で示すような気流が発生する。空気清浄機２００の外部の空気は前面パネル（図示しない）から本体２０１内に吸い込まれる。本体２０１内に吸い込まれた空気は本体２０１内において背面側に形成される通気路を通り、吹出口２０２から空気清浄対象室内に吹き出される。
【０１２３】
イオン発生器２１７が駆動されれば、イオン発生器２１７で発生したイオンは、主に吹出口２０２から吹き出す気流に乗って空気清浄対象室内に送り出される。
【０１２４】
図１４に示すように、第２実施形態の空気清浄機２００の操作・表示部２１３は、第１実施形態の空気清浄機１の操作・表示部１３（図２）と異なる点としては、操作ボタン２４８においては、加湿入／切ボタン６１の代わりに除湿入／切ボタン２６１を備え、切タイマ切換スイッチ６９の代わりに切タイマ切換スイッチ２６９を備える。また、表示ランプ２４９においては、加湿入ランプ６２の代わりに除湿入ランプ２６２を備え、給水ランプ７１の代わりに排水ランプ２７１を備える。第２実施形態の空気清浄機２００の操作・表示部２１３のその他の構成は、第１実施形態の空気清浄機１の操作・表示部１３と同様である。
【０１２５】
図１５に示すように、空気清浄機２００の制御関連の構成としては、図７に示す第１実施形態の空気清浄機１と異なる点としては、トレイ水位検知スイッチ４５の代わりに、排水タンク水位検知スイッチ２４５を備え、操作ボタン４８の代わりに操作ボタン２４８を備え、表示ランプ４９の代わりに表示ランプ２４９を備える。また、冷凍サイクル駆動回路２５５を備える。ファンモータ駆動回路２５１は、図１３に示す冷風用送風機２１４と温風用送風機２１５を駆動させる。
【０１２６】
排水タンク水位検知スイッチ２４５は、排水タンク２１８（図１３）内の水位が満水になったときに制御部４０に制御信号を送信する。排水タンク水位検知スイッチ２４５から信号を受信した制御部４０は、例えば表示ランプ２４９の排水ランプ２７１（図１４）を点滅させて使用者に排水タンク２１８が満水になったことを報知して、使用者に排水を促す。
【０１２７】
空気清浄機２００が運転されているときに使用者が除湿入／切ボタン２６１を押して除湿を「入」にすると、制御部４０に信号が送信される。制御部４０は、表示ランプ２４９の除湿入ランプ２６２に制御信号を送信して、除湿入ランプ２６２が点灯される。また制御部４０は、冷凍サイクル駆動回路２５５に制御信号を送信して、蒸発器２１１と凝縮器２１２を含む冷凍サイクルを駆動させ、ファンモータ駆動回路２５１に制御信号を送信して、冷風用送風機２１４と温風用送風機２１５を駆動させる。このようにして、除湿とともに空気清浄がされる除湿空気清浄運転が行われる。一方、除湿空気清浄運転中、すなわち、除湿入ランプ２６２が点灯しているときに除湿入／切ボタン２６１が押されると、制御部４０は除湿入ランプ２６２に制御信号を送信して消灯させ、また、冷凍サイクル駆動回路２５５に制御信号を送信して、冷凍サイクルの駆動を停止するように制御する。このようにして、除湿が行なわれない空気清浄運転が行われる。
【０１２８】
空気清浄機２００の制御関連のその他の構成と効果は、第１実施形態の空気清浄機１と同様である。
【０１２９】
以上のように構成される空気清浄機２００の動作について説明する。図１３から図１９を用いて、空気清浄機２００の電源投入から運転停止までの行程を説明する。図１６から図１９に示すフローチャートにおいて、各行程における判断の主体は制御部４０である。
【０１３０】
ステップＳ２０１では、使用者が差込プラグをコンセントに差し込み、空気清浄機２００に電源を投入する。ステップＳ２０２では、電源投入時の初期設定が行なわれて、除湿モードが「入」に設定され、切タイマが「解除」に設定される。その後、空気清浄機２００は待機状態となる。
【０１３１】
ステップＳ２０３では、制御部４０は、運転ボタンが「入」にされたかどうかを判断する。運転ボタンが「入」にされていなければ、ステップＳ２０３に戻る。使用者が運転入／切ボタン６０を押して、運転ボタンが「入」にされていれば、ステップＳ２０４に進む。
【０１３２】
ステップＳ２０４では、空気清浄機２００の運転を開始される。空気清浄機２００の運転が開始されると、各モードに対応したランプが点灯される。
【０１３３】
ステップＳ２０５では、制御部４０は、除湿入／切ボタン２６１が押されたかどうかを判断する。除湿入／切ボタン２６１が押されれば、ステップＳ２０６に進む。除湿入／切ボタン２６１が押されなければ、図１７のステップＳ２０９に進む。
【０１３４】
ステップＳ２０６では、制御部４０は、当初、除湿モードが「入」であったかどうかを判断する。当初の除湿モードが「入」であれば、ステップＳ２０７に進み、除湿モードを「切」にして、除湿入ランプ２６２を消灯する。当初の除湿モードが「入」でなければ、すなわち、当初の除湿モードが「切」であれば、ステップＳ２０８に進み、除湿モードを「入」にするようにダンパモータ駆動回路５０とファンモータ駆動回路２５１と冷凍サイクル駆動回路２５５とを制御して、除湿入ランプ２６２を点灯する。その後、ステップＳ２０９に進む。なお、ステップＳ２０５で除湿入／切ボタンが押されなかった場合には、除湿モードは当初の設定のままである。
【０１３５】
ステップＳ２０９では、制御部４０は、切タイマボタン６５が「入」にされているかどうかを判断する。切タイマボタン６５が「入」にされていれば、ステップＳ２１０に進む。切タイマボタンが「入」にされていなければ、ステップＳ２１９に進む。
【０１３６】
ステップＳ２１０では、制御部４０は、切タイマボタン６５が操作されたかどうかを判断する。切タイマボタン６５が操作されれば、ステップＳ２１３に進む。切タイマボタン６５が操作されなければ、ステップＳ２１１に進む。
【０１３７】
ステップＳ２１１では、制御部４０は計時部５３に制御信号を送信し、切タイマ時間を２時間に設定する。その後、ステップＳ２１２に進み、切タイマランプ６６の２時間ランプを点灯させてから、図１８のステップＳ２２０に進む。
【０１３８】
ステップＳ２１３では、制御部４０は、切タイマボタン６５が操作されたかどうかを判断する。切タイマボタン６５が操作されれば、ステップＳ２１６に進む。切タイマボタン６５が操作されなければ、ステップＳ２１４に進む。
【０１３９】
ステップＳ２１４では、制御部４０は計時部５３に制御信号を送信し、切タイマ時間を４時間に設定する。その後、ステップＳ２１５に進み、切タイマランプ６６の４時間ランプを点灯させてから、図１８のステップＳ２２０に進む。
【０１４０】
ステップＳ２１６では、制御部４０は、切タイマボタン６５が操作されたかどうかを判断する。切タイマボタン６５が操作されれば、ステップＳ２１９に進む。切タイマボタン６５が操作されなければ、ステップＳ２１７に進む。
【０１４１】
ステップＳ２１７では、制御部４０は計時部５３に制御信号を送信し、切タイマ時間を８時間に設定する。その後、ステップＳ２１８に進み、切タイマランプ６６の８時間ランプが点灯させてから、図１８のステップＳ２２０に進む。
【０１４２】
ステップＳ２１９では、切タイマが解除されて、切タイマランプ６６が全て消灯される。その後、図１８のステップＳ２２０に進む。
【０１４３】
図１８に示すように、ステップＳ２２０では、制御部４０は、運転入／切ボタン６０が押されて「切」にされたかどうかを判断する。運転入／切ボタン６０が「切」にされれば、ステップＳ２２１に進む。運転入／切ボタン６０が「切」にされなければ、図１６のステップＳ２０５に戻る。
【０１４４】
ステップＳ２２１では、制御部４０は、切タイマが解除されているかどうかを判断する。切タイマが解除されていれば、ステップＳ２２９に進む。切タイマが解除されていなければ、ステップＳ２２２に進む。
【０１４５】
ステップＳ２２２では、制御部４０は、計時部５３に制御信号を送信して、時間の計測を開始させる。
【０１４６】
ステップＳ２２３では、制御部４０は、計時部５３から受信する信号に基づいて、計時部５３によって計測される時間が、切タイマ時間を経過したかどうかを判断する。計時部５３によって計測される時間が、切タイマ時間を経過していれば、ステップＳ２２４に進む。計時部５３によって計測される時間が切タイマ時間を経過していなければ、図１６のステップＳ２０５に戻る。
【０１４７】
ステップＳ２２４では、制御部４０は、切タイマ切換スイッチ６９が操作されて、「全停止」にされているかどうかを判断する。切タイマ切換スイッチ６９が「全停止」にされていなければ、ステップＳ２２５に進む。切タイマ切換スイッチ６９が「全停止」にされていれば、ステップＳ２２８に進む。
【０１４８】
ステップＳ２２５では、制御部４０は、切タイマ運転を解除するように制御する。ステップＳ２２６では、制御部４０は、除湿を「切」モードにするように、ダンパモータ駆動回路５０とファンモータ駆動回路２５１と冷凍サイクル駆動回路２５５とを制御する。ステップＳ２２７では、イオン量を増加させるように、イオン発生器駆動回路５２を制御する。その後、図１６のステップＳ２０５に戻る。
【０１４９】
このようにすることにより、切タイマ時間の経過後には、除湿運転のみを停止し、空気清浄運転は継続して行うことができる。切タイマ時間の経過と共にイオン発生器１７から発生するイオン量を増加する。イオン量を増加させるためには、イオン発生器駆動回路５２の出力電圧を上げたり、イオン駆動回路の出力パルスを増加させたりする。
【０１５０】
これらの方法でイオン量が増加するのは、放電電極に与えるエネルギーを増加させていることによる。 または、イオン発生器１７を通過する風量を増加するためにファンモータ９の回転数を増加することで行われる。これは、放電電極の極近傍で発生するイオン量は非常に多いので、送風量が増加するだけで実質的に空間に送出されるイオン量が増加し、イオン発生量そのものが増加したのと同じ効果を有するためである。
【０１５１】
一方、ステップＳ２２８では、制御部４０は、切タイマ運転を解除する。ステップＳ２２９では、従来の空気清浄機と同様に、除湿機能も空気清浄機能も停止させるように、ダンパモータ駆動回路５０とファンモータ駆動回路５１とイオン発生器駆動回路５２を制御する。その後、図１６のステップＳ２０３に戻る。
【０１５２】
なお、この実施形態においては、切タイマ切換スイッチとしてスライドスイッチを用いて説明したが、操作部に存在するボタンの特殊操作（長押し、複数同時押し）により、切タイマ時間の経過後に、従来の空気清浄機のように空気清浄機能も停止させるかどうかを切り替えてもかまわない。
【０１５３】
図１９に示すように、空気清浄機２００の運転の行程としては、図１８に示すステップＳ２２７の次に、ステップＳ２３０に進んでもよい。
【０１５４】
ステップＳ２３０では、制御部４０は、風量を「弱」に設定し、冷風用送風機２１４と温風用送風機２１５を最も低い出力で、最も低速で回転させるようにファンモータ駆動回路２５１を制御する。その後、図１６のステップＳ２０５に戻る。図１９のフローチャートの他の行程は、図１８に示すフローチャートの行程と同様である。
【０１５５】
なお、この実施形態においては、切タイマ切換スイッチ６９としてスライドスイッチを用いて説明したが、操作部に存在するボタンの特殊操作（長押し、複数同時押し）により、切タイマ時間の経過後に、従来の空気清浄機のように空気清浄機能も停止させるかどうかを切り替えてもかまわない。
【０１５６】
以上のように、第２実施形態の空気清浄機２００は、空気清浄部と、湿度調整部と、制御部４０と、運転入／切ボタン６０と、計時部５３と、切タイマボタン６５とを備える。
【０１５７】
空気清浄部は、空気を清浄化する。湿度調整部は、空気を除湿する。制御部４０は、空気清浄部と湿度調整部との駆動を制御する。運転入／切ボタン６０は、使用者が空気清浄機２００の運転を停止させることを選択するための運転入／切ボタン６０である。計時部５３は、使用者が運転入／切ボタン６０によって空気清浄機２００の運転を停止させることを選択した時に時間の計測を開始する。切タイマボタン６５には、計時部５３に計測させるタイマ時間を使用者が入力する。
【０１５８】
制御部４０は、計時部５３によって計測される時間がタイマ時間を経過したときに、湿度調整部の駆動を停止して、空気清浄部を駆動させ続けるように、空気清浄部と湿度調整部とを制御する。
【０１５９】
使用者は、使用者が運転入／切ボタン６０を通して空気清浄機２００の運転を停止することを選択した後にも所定の時間、空気清浄機２００による除湿を継続させたい場合には、所定の時間としてタイマ時間を切タイマボタン６５に入力する。
【０１６０】
使用者が、切タイマボタン６５にタイマ時間を入力して、運転入／切ボタン６０によって空気清浄機２００の運転を停止させることを選択すると、計時部５３は、時間の計測を開始する。計時部５３によって計測される時間がタイマ時間を経過したとき、制御部４０は、湿度調整部の駆動を停止する。湿度調整部の駆動が停止されることによって、空気清浄機２００による空気の除湿が停止される。一方、制御部４０は、使用者が空気清浄機２００の運転を停止させることを選択した後、計時部５３によって計測される時間がタイマ時間を経過して、空気清浄機２００による空気の除湿が停止された後にも、空気清浄部を駆動させ続けるように制御する。
【０１６１】
このようにすることにより、切タイマ運転終了後にも空気を清浄化することが可能な空気清浄機２００を提供することができる。
【０１６２】
また、第２実施形態の空気清浄機２００においては、空気清浄部は、空気清浄対象室内にイオンを供給するイオン発生器２１７と冷風用送風機２１４と温風用送風機２１５を含む。制御部４０は、計時部５３によって計測される時間がタイマ時間を経過したときに、イオン発生器２１７と冷風用送風機２１４と温風用送風機２１５の駆動を継続するようにイオン発生器２１７と冷風用送風機２１４と温風用送風機２１５を制御する。
【０１６３】
イオン発生器２１７と冷風用送風機２１４と温風用送風機２１５によって空気清浄対象室内にイオンを供給することによって、イオンによる脱臭や除菌効果を得ることができる。そこで、計時部５３によって計測される時間がタイマ時間を経過したときに、イオン発生器２１７と冷風用送風機２１４と温風用送風機２１５の駆動を継続するようにイオン発生器２１７と冷風用送風機２１４と温風用送風機２１５を制御することにより、空気清浄機２００による空気の除湿が停止された後にも、イオンによる空気清浄化の効果によって空気清浄対象室内の空気を清浄に保つことができる。
【０１６４】
また、第２実施形態の空気清浄機２００においては、制御部４０は、計時部５３によって計測される時間がタイマ時間を経過したときに、イオン発生器２１７と冷風用送風機２１４と温風用送風機２１５によって空気清浄対象室内に供給されるイオンの量を増加させるように、イオン発生器２１７と冷風用送風機２１４と温風用送風機２１５を制御する。
【０１６５】
湿度調整部が空気を除湿する湿度調整部である場合には、湿度調整部が駆動されている間に空気の除湿が行なわれており、湿度調整部を駆動停止するときには、空気清浄対象室内の湿度が最も低くなっていると考えられる。
【０１６６】
このような空気清浄対象室内の湿度が低い状態では、湿度が高い状態と比較して、空気清浄対象室内にイオンを供給してもイオンによる殺菌、除菌、脱臭などの効果が充分に得られないことがある。
【０１６７】
そこで、計時部５３によって計測される時間がタイマ時間を経過して、湿度調整部の駆動が停止されたときに、イオン発生器２１７と冷風用送風機２１４と温風用送風機２１５によって空気清浄対象室内に供給されるイオンの量を増加させるようにイオン発生器２１７と冷風用送風機２１４と温風用送風機２１５を制御する。このようにすることにより、空気中の湿度にかかわらず、湿度調整部の駆動をしている場合と同様にイオンの効果を維持することができる。
【０１６８】
また、第２実施形態の空気清浄機２００においては、空気清浄部は空気を送出する冷風用送風機２１４と温風用送風機２１５を含む。制御部４０は、計時部５３によって計測される時間がタイマ時間を経過したときに、冷風用送風機２１４と温風用送風機２１５の出力を最も低くするように冷風用送風機２１４と温風用送風機２１５を制御する。
【０１６９】
空気清浄機２００においては、各部材のうち、冷風用送風機２１４と温風用送風機２１５によって消費される電力が相対的に大きいことが多い。そこで、計時部５３によって計測される時間がタイマ時間を経過したときに、冷風用送風機２１４と温風用送風機２１５の出力を最も低くするように冷風用送風機２１４と温風用送風機２１５を制御して省電力を図る。一方、冷風用送風機２１４と温風用送風機２１５の出力を低くして送風量が減少しても、イオンが十分に空気清浄対象室内に供給されるように、イオン発生器２１７と冷風用送風機２１４と温風用送風機２１５によるイオンの供給量を増加させる。このようにすることにより、空気中の湿度にかかわらず、湿度調整部が駆動されているときと同様に、イオンによる高い除菌や脱臭の効果を維持することができる。
【０１７０】
また、第２実施形態の空気清浄機２００は、使用者が空気清浄部の駆動と駆動停止とを選択するための切タイマ切換スイッチ２６９を備える。使用者が切タイマ切換スイッチ２６９によって空気清浄部の駆動停止を選択した場合には、制御部４０は、計時部５３によって計測される時間がタイマ時間を経過したときに空気清浄部の駆動を停止する。
【０１７１】
このようにすることにより、タイマ時間が経過した後、空気清浄化を継続させる必要がない場合には、従来の空気清浄機と同様に全ての運転を停止して、エネルギーの浪費を防ぐことができる。
【０１７２】
なお、第１実施形態では加湿機能を有する空気清浄機１について説明し、第２実施形態では除湿機能を有する空気清浄機２００について説明したが、加湿機能と除湿機能の両方の機能を有する空気清浄機についても同様の作用効果が得られる。すなわち、加湿機能と除湿機能の両方の機能を有する空気清浄機では、加湿運転を行なっているときに切タイマ運転を行なう場合には、第１実施形態のような運転がされ、除湿運転を行なっているときに切タイマ運転を行なう場合には、第２実施形態のような運転がされる。また、空気清浄機は、他の機能を有していてもよい。
【０１７３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１７４】
１，２：空気清浄機、４：脱臭フィルタ、５：集塵フィルタ、８：送風機、１４：加湿フィルタ、１７，２１７：イオン発生器、４０：制御部、５３：計時部、６０：運転入／切ボタン、６５，２６５：切タイマボタン、６９，２６９：切タイマ切換スイッチ、２１１：蒸発器、２１２：凝縮器、２１４：冷風用送風機、２１５：温風用送風機。
【図１】
2010269058.tif 000003
【図２】
2010269058.tif 000004
【図３】
2010269058.tif 000005
【図４】
2010269058.tif 000006
【図５】
2010269058.tif 000007
【図６】
2010269058.tif 000008
【図７】
2010269058.tif 000009
【図８】
2010269058.tif 000010
【図９】
2010269058.tif 000011
【図１０】
2010269058.tif 000012
【図１１】
2010269058.tif 000013
【図１２】
2010269058.tif 000014
【図１３】
2010269058.tif 000015
【図１４】
2010269058.tif 000016
【図１５】
2010269058.tif 000017
【図１６】
2010269058.tif 000018
【図１７】
2010269058.tif 000019
【図１８】
2010269058.tif 000020
【図１９】
2010269058.tif 000021